(57)【要約】【課題】多彩な撮影効果を上げることができるビデオカメラ装置を提供する。【解決手段】タッチパネル１０５上の接触位置情報を元に、ＣＰＵ１０６は、どの位置の発光素子３０１をどれくらいの駆動電力で点灯すればよいかを算出し、ＬＥＤ駆動回路３０２に指令出力する。ＬＥＤ駆動回路３０２は、ＣＰＵ１０６からの指令に基づいて各発光素子３０１を点灯制御することによって、スポットライト照射位置（照射方向、照射範囲）と照射光量を制御する。【選択図】図５
2008048023.tif 000002
【特許請求の範囲】
【請求項１】
ビデオライト部から照射されるスポットライトの照射方向、照射範囲、照射光量を変更するための操作入力手段と、前記操作入力手段の入力情報から前記スポットライトの照射方向、照射範囲、照射光量の少なくとも一つを変更する制御手段とを備えることを特徴とするビデオカメラ装置。
【請求項２】
前記操作入力手段は、前記スポットライトと被写体とが表示されるタッチパネルであることを特徴とする請求項１記載のビデオカメラ装置。
【請求項３】
前記ビデオライト部の発光素子は複数個設けられ、前記制御手段は、発光素子駆動回路と中央演算処理装置とで構成され、前記タッチパネル上の接触位置情報を元に、前記中央演算処理装置は、点灯制御する前記発光素子を算出して前記発光素子駆動回路に指令出力し、前記発光素子駆動回路は、前記中央演算処理装置からの指令に基づいて各発光素子を点灯制御することを特徴とする請求項２記載のビデオカメラ装置。
【請求項４】
前記中央演算処理装置は、カメラ部のＡＥ判定回路からの照度情報を元に、前記ビデオライト部の前記発光素子の照射光量を変化させ、画面の明るさを一定に保つように前記発光素子駆動回路に指令出力することを特徴とする請求項３記載のビデオカメラ装置。
【発明の詳細な説明】
【技術分野】
【０００１】
本発明は、ビデオカメラ装置に関し、特に、ビデオライト部によるビデオライト（スポットライト）制御技術に特徴のあるビデオカメラ装置に関するものである。
【背景技術】
【０００２】
従来、低照度下の撮影においても良好な画像を得るために、ビデオライト部のビデオライトを補助光の光源として点灯する機能を備えるビデオカメラ装置が提案されている（特許文献１〜３）。
【０００３】
上記先行技術におけるビデオライト部は、撮影時や記録スタンバイ状態などモード変更の検知情報、あるいはカメラ部からの露出情報を元に、ビデオライトの点灯消灯制御を行い、あるいは発光量を自動制御する制御機能を有する。
【特許文献１】特開平５−２０７４０６号公報
【特許文献２】特開平６−２２２０９号公報
【特許文献３】特開平３−２０３４２号公報
【発明の開示】
【発明が解決しようとする課題】
【０００４】
しかしながら上記従来の技術では、ビデオライト部による補助光（ビデオライト）の照射方向は撮像レンズの入射方向と同じ一方向であり、かつ照射スポット径もズーム位置によらず一定であった。そのため、多彩な撮影効果を期待することができなかった。
【０００５】
本発明の目的は、多彩な撮影効果を上げることができるビデオカメラ装置を提供することにある。
【課題を解決するための手段】
【０００６】
上記目的を達成するために、請求項１記載のビデオカメラ装置は、ビデオライト部から照射されるスポットライトの照射方向、照射範囲、照射光量を変更するための操作入力手段と、前記操作入力手段の入力情報から前記スポットライトの照射方向、照射範囲、照射光量の少なくとも一つを変更する制御手段とを備えることを特徴とする。
【発明の効果】
【０００７】
本発明のビデオカメラ装置は、ビデオライト部から照射されるスポットライトの照射方向、照射範囲を変更するための操作入力手段と、操作入力手段の入力情報からスポットライトの照射方向、照射範囲、照射光量の少なくとも一つを変更する制御手段とを備える。従って、撮影者は操作入力手段への入力で、スポットライトの照射方向、照射範囲、照射光量を任意に変更することができ、この結果、多彩な撮影効果を上げることができる。
【発明を実施するための最良の形態】
【０００８】
以下、本発明の実施の形態を図面を参照しながら詳細に説明する。
【０００９】
図１は、本発明の実施の形態に係るビデオカメラ装置の処理ブロックの構成を概略的に示す図である。
【００１０】
図１において、ビデオカメラ装置は、カメラ部１０１、ビデオライト部１０２、記録再生部１０３、ＬＣＤ（液晶ディスプレイ）１０４、タッチパネル１０５及びＣＰＵ（中央演算処理ユニット）１０６がシステムバス１０７に接続されることで構成されている。
【００１１】
カメラ部１０１は、撮影画像入力やフォーカス制御やズーム制御を行う。ビデオライト部１０２は、ビデオライト光量や照射方向を制御する。記録再生部１０３は、撮像画像データをデジタル処理し、テープやディスク等の記録媒体に記録再生する。ＬＣＤ１０４は、カメラ部１０１からの撮影画像や記録再生部１０３から読み出した再生画像を表示出力する。
【００１２】
タッチパネル１０５は、ＬＣＤ１０４の表示画面上からユーザーによるシステム制御を行うインタフェースとして設けている。ＣＰＵ１０６は、ビデオカメラシステムを構成する上記各処理ブロックを制御するソフトウェアを搭載している。システムバス１０７は、各処理ブロック間でのデータ転送やＣＰＵ１０６からの制御命令の送受信を行う。
【００１３】
図２は、図１におけるカメラ部の回路ブロックを概略的に示す図である。
【００１４】
図２において、カメラ部１０１は、レンズ２０１、絞り制御回路２０２、ズーム駆動回路２０３、撮像素子２０４、カメラ信号処理回路２０５及びＡＥ判定回路２０６を備える。
【００１５】
レンズ２０１は撮影している光学像が入力される。絞り制御回路２０２は、ＣＰＵ１０６からの制御命令に基づき、撮影画像の露出を最適に保つよう動作する回路である。ズーム駆動回路２０３は、同様にユーザーからのズーム操作によってＣＰＵ１０６からの制御に基づき、レンズ位置を変更するよう動作する回路である。
【００１６】
撮像素子２０４は、レンズ２０１から入力された光学像をＣＣＤやＣＭＯＳなどによって光電変換し電気信号として出力する。カメラ信号処理回路２０５は、撮像素子２０４から入力された電気信号に信号処理を施し、ＬＣＤ１０４に表示出力し、また撮影画像の照度や焦点などカメラ情報を出力する。ＡＥ判定回路２０６は、カメラ信号処理回路２０５から受け取ったカメラ情報から最適な絞り値や照度を計算しＣＰＵ１０６に通知する。
【００１７】
ＣＰＵ１０６は、該カメラ情報を元に、絞り制御回路２０２やビデオライト部１０２へのフィードバック制御を行い、常に安定して最適な撮影画像が得られるよう動作する。
【００１８】
図３は、図１におけるビデオライト部の回路ブロックを概略的に示す図である。
【００１９】
図３において、ビデオライト部１０２は、ＬＥＤを光源とする発光素子（発光素子という表現は後述する図４に示すように、ＬＥＤ、レンズなどを含むユニットして用いる）３０１、ＬＥＤ駆動回路３０２及び電源バッテリー３０３を備える。
【００２０】
発光素子３０１は複数個組み合わせて配置される。ＬＥＤ駆動回路３０２は、ＣＰＵ１０６からの命令に基づいて駆動され、組み合わされた発光素子３０１のいずれかに電流または電圧をスイッチして供給し、またその電流量、電圧量を可変する。
【００２１】
図４は、図３のビデオライト部の外観（Ａ）と図３における発光素子の構成（Ｂ）を概略的に示す図である。
【００２２】
図４の（Ａ）において、発光素子３０１を、図１におけるＬＣＤ１０４と一体型のタッチパネル１０５と同じ画角で多数個配置する。
【００２３】
また図４の（Ｂ）において、発光素子３０１は、ＬＥＤ４０１を光源とし、反射ミラー４０２によってＬＥＤ４０１から全方位に伝播してしまうことによる光伝播効率の低下を防ぎ、ＬＥＤ４０１から発光される光がすべてレンズ４０３に集光されるように構成する。
【００２４】
撮影用のレンズ２０１を最も広角側にしたときに、ＬＥＤ４０１を全部点灯することにより、その画角をカバーするように撮影対象物を照射することができる。また、各ＬＥＤ４０１の照射範囲を制御できるような光学系になるように、各ＬＥＤ４０１とレンズ４０３の焦点距離などを設定する。ビデオライト部１０２が上記構造を持つことによって、被写体方向にのみ光を照射することが可能となる。
【００２５】
また照射光量の制御方法として、図３におけるＬＥＤ駆動回路３０２による供給電力の増減制御だけでなく、各発光素子３０１のレンズ４０３とＬＥＤ４０１との間の光路に光透過フィルターを設置し、所望の照射光量となるよう透過率を変化させることもできる。
【００２６】
次に、ビデオライト部１０２の制御処理内容について説明する。本実施の形態は、低照度環境下で、ビデオカメラ装置による撮影をしている場合などを想定している。
【００２７】
図５は、図１のビデオカメラ装置による撮影に際し、ビデオライト部制御前の状態を説明するための図である。
【００２８】
図５（Ａ）において、ビデオカメラ装置５００は、カメラ部１０１、ビデオライト部１０２、タッチパネル１０５が外観に現れる。カメラ画像は、タッチパネル１０５にリアルタイムに表示されており、撮影者は実際のライト照射位置が画面内の何処に位置するか目視で確認できるものとする。
【００２９】
図５では、ビデオカメラ装置５００のビデオライト部１０２から照射されるスポットライト（ビデオライト）５０１は撮影画面の中央に位置しており、被写体５０２は画面左下の位置に存在し照射範囲内に照らされていない。
【００３０】
この時、図５（Ｂ）に示すように、ビデオライト部１０２中の各発光素子３０１は中央部だけが円状に点灯しているだけで、他の素子は消灯する状態に制御されている。
【００３１】
図６は、図１のビデオカメラ装置による撮影に際し、ビデオライト部の第１の制御例を説明するための図である。
【００３２】
具体的には、図５に示した状態から撮影者が、ビデオライト部１０２からのスポットライト５０１を被写体５０２に対して照射させる操作をタッチパネル１０５から行った後の、スポットライト照射位置とビデオライト部１０２中の発光素子３０１の点灯状態を示す。
【００３３】
図６（Ｂ）に示すように、画面内の被写体位置に対応したビデオライト部１０２の発光素子３０１だけを点灯させる。
【００３４】
図６に示す第１の制御例では、タッチパネル１０５上の接触位置情報を元に、ＣＰＵ１０６は、どの位置の発光素子３０１をどれくらいの駆動電力で点灯すればよいかを算出し、ＬＥＤ駆動回路３０２に指令出力する。ＬＥＤ駆動回路３０２は、ＣＰＵ１０６からの指令に基づいて各発光素子３０１を点灯制御することによって、スポットライト照射位置（照射方向、照射範囲）と照射光量を制御する。
【００３５】
ここで、タッチパネル１０５の大きさとビデオライト部１０２中の発光素子３０１の位置情報が一意に決定されるものであれば、ＣＰＵ１０６内に両者の関係をマッッピング変換テーブルとして設けてもよい。
【００３６】
ビデオカメラ装置５００のフォーカス位置は通常被写体に合わせる。そのため、スポットライト照射位置の情報を、ＣＰＵ１０６を経由してカメラ部１０１にフィードバック制御を行い、スポットライト照射位置にフォーカススポットが自動追従するように制御してもよい。
【００３７】
第１の制御例では、タッチパネル１０５に表示されたスポットライト５０１の照射位置と被写体５０２の位置とがずれている場合、被写体１０５部分のタッチパネル１０５面を撮影者が押圧すれば、スポットライト５０１を被写体５０２に合わせることができる。
【００３８】
図７は、図１のビデオカメラ装置による撮影に際し、ビデオライト部の第２の制御例を説明するための図である。
【００３９】
具体的には、図５に示した状態から撮影者が、画面内のビデオライト部１０２からのスポットライト５０１の照射範囲を大きくする操作をタッチパネル１０５から行った後の、スポットライト照射位置とビデオライト部１０２中の発光素子３０１の点灯状態を示す。
【００４０】
図７（Ａ）に示すように、撮影画面内一杯にビデオライト部１０２からのスポットライト５０１を当てる。そのために、図７（Ｂ）に示すように、対応したビデオライト部１０２の発光素子３０１だけを点灯させる。
【００４１】
図７に示す第２の制御例では、スポットライト５０１の照射範囲指定は、タッチパネル１０５上に、図７（Ａ）に示すように円弧を描くことによって行う。そして、タッチパネル１０５上の接触位置履歴を元に、ＣＰＵ１０６において照射範囲を算出する。またタッチパネル１０５上の２点を指定することにより、該２点を結ぶ領域を照射範囲として、ＣＰＵ１０６で判断してもよい。
【００４２】
図６を用いて説明した第１の制御例と同様、タッチパネル１０５上の照射範囲情報を元に、ＣＰＵ１０６は、どの位置の発光素子３０１をどれくらいの駆動電力で点灯すればよいかを算出し、ＬＥＤ駆動回路３０２に指令出力する。ＬＥＤ駆動回路３０２は、ＣＰＵ１０６からの指令に基づいて各発光素子３０１を点灯制御することによって、スポットライト照射位置と照射光量を制御する。
【００４３】
第２の制御例では、タッチパネル１０５に表示されたスポットライト５０１の位置と被写体５０２の位置とがずれている場合、タッチパネル１０５面を撮影者が幅広く円弧を描くように押圧すれば、スポットライト５０１の径を拡大させることができる。
【００４４】
スポットライト５０１の照射範囲を変更することで画面内の明るさが変化してしまう。そのため、カメラ部１０１のＡＥ判定回路２０６からの照度情報を元に、ＣＰＵ１０６においてビデオライト部１０２の照射光量を変化させ、画面の明るさを一定に保つように自動フィードバック制御してもよい。
【００４５】
また上記照射光量の自動フィードバック制御は、画面内の照度が変化するカメラ部１０１のズーム操作についても適用可能である。
【００４６】
また、図４に記載の各発光素子３０１を構成するＬＥＤ４０１とレンズ４０３との間隔である集光距離を変化させることによって、所望の照射スポット範囲となるようビデオライト部１０２を制御してもよい。
【図面の簡単な説明】
【００４７】
【図１】本発明の実施の形態に係るビデオカメラ装置の処理ブロックの構成を概略的に示す図である。
【図２】図１におけるカメラ部の回路ブロックを概略的に示す図である。
【図３】図１におけるビデオライト部の回路ブロックを概略的に示す図である。
【図４】図３のビデオライト部の外観（Ａ）と図３における発光素子の構成（Ｂ）を概略的に示す図である。
【図５】図１のビデオカメラ装置による撮影に際し、ビデオライト部制御前の状態を説明するための図である。
【図６】図１のビデオカメラ装置による撮影に際し、ビデオライト部の第１の制御例を説明するための図である。
【図７】図１のビデオカメラ装置による撮影に際し、ビデオライト部の第２の制御例を説明するための図である。
【符号の説明】
【００４８】
１０１  カメラ部
１０２  ビデオライト部
１０３  記録再生処理部
１０４  ＬＣＤ
１０５  タッチパネル
１０６  ＣＰＵ（中央演算処理装置）
１０７  システムバス
２０１  レンズ
２０２  絞り制御回路
２０３  ズーム駆動回路
２０４  撮像素子
２０５  カメラ信号処理回路
２０６  ＡＥ判定回路
３０１  発光素子
３０２  ＬＥＤ駆動回路（発光素子駆動回路）
３０３  バッテリー
４０１  ＬＥＤ
４０２  反射ミラー
４０３  レンズ
５００  ビデオカメラ装置
５０１  スポットライト
５０２  被写体
【図１】
2008048023.tif 000003
【図２】
2008048023.tif 000004
【図３】
2008048023.tif 000005
【図４】
2008048023.tif 000006
【図５】
2008048023.tif 000007
【図６】
2008048023.tif 000008
【図７】
2008048023.tif 000009